(57)【要約】【課題】インバータシステムと電気的に接続された電源からインバータシステムの動作乗数（定数）を設定する動作電力が供給されない場合、インバータシステムの稼動に必要な情報を設定することができない。【解決手段】太陽電池から出力される直流電力を交流電力に変換し、当該交流電力を系統へ供給するインバータシステムにおいて、インバータシステムの外部より当該インバータシステムの動作乗数（定数）を設定可能とするための動作電力を供給する接続部を備えることを特徴とする。【選択図】図１
2018125902.tif 000002
【特許請求の範囲】
【請求項１】
太陽電池から出力される直流電力を交流電力に変換し、当該交流電力を系統へ供給する
インバータシステムにおいて、
前記インバータシステムの外部より当該インバータシステムの動作乗数（定数）を設定
可能とするための動作電力を供給する接続部を備えることを特徴とするインバータシステ
ム。
【請求項２】
太陽電池または蓄電池の少なくとも１つから出力される直流電力を交流電力に変換する
インバータシステムにおいて、
前記インバータシステムの外部より当該インバータシステムの動作乗数（定数）を設定
可能とするための動作電力を供給する接続部を備えることを特徴とするインバータシステ
ム。
【請求項３】
請求項１又は請求項２に記載のインバータシステムにおいて、
当該インバータシステムの動作乗数（定数）を設定する設定部を更に備え、前記太陽電池
から出力される電力を前記設定部で用いられる前記動作電力に変換する電源回路を備える
ことを特徴とするインバータシステム。
【請求項４】
請求項１又は請求項２に記載のインバータシステムにおいて、
系統から供給される電力を当該インバータシステムの動作乗数（定数）を設定する前記設
定部で用いられる前記動作電力に変換する電源回路を備えることを特徴とするインバータ
システム。
【請求項５】
請求項２に記載のインバータシステムにおいて、
前記蓄電池から出力される電力を当該インバータシステムの動作乗数（定数）を設定する
前記設定部で用いられる前記動作電力に変換する電源回路を備えることを特徴とするイン
バータシステム。
【請求項６】
請求項１又は請求項２に記載の前記接続部は、前記インバータシステムの動作乗数（定
数）の設定に用いる前記動作電力の前記インバータシステムの外部からの供給を示す信号
を出力することを特徴とするインバータシステム。
【請求項７】
請求項１又は請求項２に記載の前記接続部は、前記インバータシステムの動作を制御す
る制御回路の少なくとも一部が実装された基板に設けられたことを特徴とするインバータ
システム。
【請求項８】
請求項６に記載の前記インバータシステムは、当該インバータシステムの動作を制御す
る制御部を更に備え、当該制御部は前記接続部からの前記信号に基づき前記動作乗数（定
数）の設定を有効にすることを特徴とするインバータシステム。
【発明の詳細な説明】
【技術分野】
【０００１】
本発明は、直流電力を交流電力に変換するインバータシステムに関する。
【背景技術】
【０００２】
近年、太陽電池、蓄電池、燃料電池などの直流電源から出力される直流電力を交流電力
に変換し、変換した交流電力を商用電力系統へと供給するインバータシステムが普及し、
需要家に設けられるようになっている。
【０００３】
この様なインバータシステムは、直流電力を交流電力に変換するインバータ、インバー
タシステムの動作条件や動作乗数（定数）を設定する設定部、及び設定部で設定した動作
条件や動作乗数（定数）に基づいてインバータシステムの動作を制御するための制御部を
有しており、これらの動作を成す電気部品が筐体内に収容されている。
【０００４】
インバータシステムを稼動する際には、動作条件や動作乗数（定数）などの設定が必要
であり、これらは稼動前に設定することが望ましい。設定部を操作して動作条件や動作乗
数（定数）を設定する場合、設定部に動作電力が供給されていなければならない。
【０００５】
近年、建物を建築する際に、太陽光発電システムを導入する場合が増えている。（尚、
太陽光発電システムを野立てで設置する場合も同様である。）建物の建築は１棟のみの場
合もあるが、複数棟の建設が同時進行する場合もある。複数棟の建築に携わる施工者（作
業者）にとって、太陽光発電システムの構成機器である太陽電池やインバータシステムを
建築が完了する前に予め設置し、インバータシステムが系統との連系運転を開始する前に
動作条件や動作乗数（定数）を設定しておくことは効率的である。
【０００６】
しかし、建物の建築完了前の場合、太陽電池は有効に稼動しておらず（例えば、太陽電池
からの電力供給が開閉スイッチで遮断されている場合など）、商用電力系統も繋がってい
ない状況である。また蓄電手段が設置されているとしても充電されてない可能性が高い状
況である。すなわち、太陽電池、蓄電手段もしくは商用電源系統からインバータシステム
の設定部に動作電力が供給されないため、施工者（作業者）はインバータシステムの動作
条件や動作乗数（定数）の設定ができない。
【０００７】
また、建物の建築が完了し、太陽光発電システムが稼動しているときでも、インバータ
システムなどの構成機器に異常が発生してメンテナンスが必要な場合も想定される。メン
テナンスを実施する際に、開閉スイッチを遮断して太陽電池の接続を開放する場合があり
、また晴天以外では太陽電池が発電不可もしくは発電量が少ない場合があり、インバータ
システムの設定部に十分な動作電力を供給することができない。加えて、商用電力系統が
停電の場合も上記と同様に動作電力を供給することができない。従って、施工者（作業者
）はメンテナンスを行うことができない。
【０００８】
特許文献１には、蓄電池と商用電力系統の夫々から設定部に動作電力を供給する制御電
源が開示されている。また、特許文献２には、太陽光電池に代表される直流電源、蓄電池
、及び商用電力系統の夫々から制御部（本願における設定部）に動作電力を供給する電源
回路が開示されている。
【先行技術文献】
【特許文献】
【０００９】
【特許文献１】国際公開第２０１４／０８３７８８号
【特許文献２】特開２００８−５４４７４号公報
【発明の概要】
【発明が解決しようとする課題】
【００１０】
特許文献１及び特許文献２に開示されているように、制御部（本願における設定部に相
当）に動作電力を供給する電源は直流電源、蓄電池及び商用電力系統であり、電力供給が
不可能な場合がある。例えば、直流電源が発電できない時間帯、蓄電池の充電が不十分で
放電が不可能な場合、商用電力系統が接続されてない、又は停電している場合などである
。
【００１１】
上述のように、設定部に動作電力が供給されない場合は動作乗数（定数）の設定が不可
能である。適切な動作乗数（定数）を設定せずにインバータシステムを稼動した場合、商
用電力系統の電圧が上昇するなどの悪影響が懸念される。
【００１２】
本発明は上記に鑑みて為されたものであって、太陽電池などの直流電源や蓄電手段、及び
商用電源系統からインバータシステムの設定部操作に必要な動作電力が供給されない場合
でも、接続部に外部電源を接続することにより、設定部の設定動作を可能とする動作電力
を供給することを目的とする。
【課題を解決するための手段】
【００１３】
上記目的を達成するために、太陽電池から出力される直流電力を交流電力に変換し、当
該交流電力を系統へ供給するインバータシステムにおいて、前記インバータシステムの外
部より当該インバータシステムの動作条件や動作乗数（定数）を設定可能とするための動
作電力を供給する接続部を備えることを特徴とする。
【００１４】
上記目的を達成するために、太陽電池または蓄電池の少なくとも１つから出力される直
流電力を交流電力に変換するインバータシステムにおいて、前記インバータシステムの外
部より当該インバータシステムの動作条件や動作乗数（定数）を設定可能とするための動
作電力を供給する接続部を備えることを特徴とする。
【００１５】
上記目的を達成するために、前記インバータシステムにおいて、当該インバータシステ
ムの動作乗数（定数）を設定する設定部を更に備え、前記太陽電池から出力される電力を
前記設定部で用いられる前記動作電力に変換する電源回路を備えることを特徴とする。
【００１６】
上記目的を達成するために、前記インバータシステムにおいて、系統から供給される電
力を当該インバータシステムの動作乗数（定数）を設定する前記設定部で用いられる前記
動作電力に変換する電源回路を備えることを特徴とする。
【００１７】
上記目的を達成するために、前記インバータシステムにおいて、前記蓄電池から出力さ
れる電力を当該インバータシステムの動作乗数（定数）を設定する前記設定部で用いられ
る前記動作電力に変換する電源回路を備えることを特徴とする。
【００１８】
上記目的を達成するために、前記接続部は、前記インバータシステムの動作乗数（定数
）の設定に用いる前記動作電力の前記インバータシステムの外部からの供給を示す信号を
出力することを特徴とする。
【００１９】
上記目的を達成するために、前記インバータシステムの動作を制御する制御回路の少な
くとも一部が実装された基板に設けられたことを特徴とする。
【００２０】
上記目的を達成するために、前記インバータシステムは、当該インバータシステムの動
作を制御する制御部を更に備え、当該制御部は前記接続部からの前記信号に基づき前記動
作乗数（定数）の設定を有効にすることを特徴とする。
【発明の効果】
【００２１】
本発明によれば、直流電源が発電できない時間帯、蓄電池の充電が不十分な場合、商用電
力系統が停電の場合などのように、設定部への動作電力が供給できない場合でも、外部電
源を接続することで外部電源から設定部に動作電力を供給して動作乗数（定数）の設定が
可能になるインバータシステムを提供することができる。
【図面の簡単な説明】
【００２２】
【図１】実施形態１に係るインバータシステムの説明図である。
【図２】実施形態２に係るインバータシステムの説明図である。
【図３】実施形態３に係るインバータシステムの説明図である。
【図４】本実施形態に係るインバータシステムの分解斜視図である。
【図５】本実施形態に係るインバータシステムの基本回路図である。
【図６】本実施形態に係るインバータシステムの断面図である。
【図７】本実施形態に係るインバータシステムのサブ基板の上面図
【発明を実施するための形態】
【００２３】
（実施形態１）
図１は本発明の実施形態を示すインバータシステム１の説明図である。インバータシス
テム１は主に直流電源１３と、この直流電源１３からの直流電力を交流電力に変換して系
統（商用電力系統ＧＲＩＤ）へ重畳（又は逆潮流）するパワーコンディショナとから構成
されている。
【００２４】
直流電源１３は、例えば、発電機、風力発電機もしくは水力発電機の交流出力を整流し
て得た直流電力や、太陽電池または燃料電池などにより発生する直流電力を用いることが
できるが、本実施形態では太陽電池を例に用いる。
【００２５】
直流電源１３から供給される直流電力は開閉スイッチ（図示せず）を介してパワーコンデ
ィショナのＤＣ／ＤＣコンバータに供給されて制御された目標電圧（中間電圧）まで昇圧
される。ＤＣ／ＤＣコンバータの回路方式は限定されるものではなく、例えば、主にリア
クタ、スイッチング素子、ダイオード、平滑用コンデンサを用いた非絶縁のチョッピング
回路、また主にスイッチング素子、絶縁トランス、整流回路、コンデンサを用いた絶縁フ
ォワード型の回路などがある。さらにチャージポンプ型、フライバック型、共振型などの
回路を用いることも可能である。昇圧比の制御は制御部が記憶部に設定（格納）された動
作条件や動作乗数（定数）を基に行われる。
【００２６】
中間電圧まで昇圧された直流電力はＤＣ／ＡＣインバータで商用電力系統ＧＲＩＤと連系
可能な周波数の交流電力に変換された後、系統連系リレーＲＹを介して商用電力系統ＧＲ
ＩＤへ重畳（又は逆潮流）される。ＤＣ／ＡＣインバータ回路は、直流電力を所定の周波
数（商用電力系統ＧＲＩＤと連系運転する際は商用電力系統ＧＲＩＤと同期する周波数、
自立運転を行う際は５０Ｈｚ／６０Ｈｚのいずれかの周波数）の交流電力に変換する電力
変換回路である。例えば、ＰＷＭ（Ｐｕｌｓｅ  Ｗｉｄｔｈ  Ｍｏｄｕｌａｔｉｏｎ）方
式に基づき、複数のスイッチング素子（半導体など）のオンとオフのスイッチングを繰り
返して疑似正弦波を生成した後にフィルタ回路で高周波成分を除去または減衰させて交流
電力を生成するものである。
【００２７】
図１から図３に示したＤＣ／ＡＣインバータはこのフィルタ回路を含めて表記しているが
、別体で表記してもよいものである。また、変換回路の構成としてはこのようなＰＷＭ方
式に限らず、ＮＰＣ（Ｎｅｕｔｒａｌ  Ｐｏｉｎｔ  Ｃｌａｍｐｅｄ）方式によるインバ
ータ、階調制御型インバータや、インバータブリッジ回路の出力側や入力側をクランプし
たものなど、直流／交流の変換方式は限定されるものではない。
【００２８】
ＤＣ／ＡＣインバータは少なくとも、交流電力を出力すると共に、この交流電力の周波数
、ピーク電圧（実効値でもよい）、電圧と電流との位相差を制御できるものであればよい
。ＤＣ／ＡＣインバータの制御は制御部が記憶部に設定（格納）された動作条件や動作乗
数（定数）を基に行われる。
【００２９】
一般住宅では、商用電力系統ＧＲＩＤに建物内負荷１０が接続され、直流電源１３から
インバータシステム１を経由して出力された交流電力のうち、建物内負荷１０で消費され
ない余剰電力分が商用電力系統ＧＲＩＤに逆潮流される。本実施形態では例として住宅を
用いるが、住宅のみを限定する意味ではなく非住宅の場合も含まれる。同様にインバータ
システムを野立てで設置する場合にも適用可能である。
【００３０】
実施形態１は、インバータシステム１の設定部に動作電力を供給する既定の電源が直流
電源のみの場合である。直流電源から供給された直流電力は開閉スイッチ（図示せず）を
介して第１電源回路へ供給される。第１電源回路はインバータシステム１の動作、例えば
、ＤＣ／ＤＣコンバータやＤＣ／ＡＣインバータを構成するスイッチング素子等の駆動、
選択部、設定部、記憶部、制御部など動作、を成すために要する所定の電圧の直流電力を
生成するものである。例えば、５Ｖ、１２Ｖ、３５Ｖ・・・など用いる電気部品に適した
電圧の直流電力を複数種類出力する。設定部が要する直流電力の電圧を例えば５Ｖとする
と、第１電源回路から出力される５Ｖの直流電力は選択部を介して設定部へ供給される。
【００３１】
設定部はこの５Ｖの直流電力で動作可能となる。尚、記憶部が要する直流電力は設定部か
ら供給されるものとして説明は省略する。記憶部は、例えば書き換え化可能な半導体メモ
リー、マイコン（マイクロプロセッサ）などの制御半導体内に構成された書き換え可能な
記憶部エリアなどを用いることができる。また、インバータシステム１の主な制御（設定
部や制御部の動作など）はこのマイコンのソフトウェアで構成されている。
【００３２】
このように実施形態１のインバータシステム１に対して、接続部及び第２電源回路を備え
ない場合では、施工者が事前にインバータシステムの稼動に必要な動作条件や動作乗数（
定数）を設定部から設定しようとしても、太陽電池が稼動してない場合は設定部に動作電
力が供給されないため、設定部の操作ができない。
【００３３】
接続部はインバータシステムの外部から直流電力の供給を可能とするものであり、端子台
、コネクタ、ＥＩＡＪ規格の外部電源プラグ（ＤＣプラグ）に対応したジャック（ブレー
ク接片を備える）などを用いることができる。第２電源回路は接続部から得られる直流電
力を設定部が要する５Ｖの直流電力に安定化させるものである。尚、接続部に外部から供
給される直流電圧が既に５Ｖの電圧で安定化されている場合は、特別に電圧を安定化させ
る第２電源回路は必要なく、直流電力の逆極性接続に対応する保護回路（逆接続防止のダ
イオードなど）に置き換えてもよいものである。また、この場合、別途保護動作を考慮す
れば第２電源回路を省略することも可能である。
【００３４】
図７に示したように、実施形態１では、ＥＩＡＪ規格の外部電源プラグ（ＤＣプラグ）に
対応したジャックをサブ基板８に設け、外部電源プラグをジャックに挿入した際のブレー
ク接片の動作を作動電力のインバータシステムの外部からの供給を示す信号の出力として
用いる。図７におけるジャックの配置は説明のための例であり、配置を限定する意味では
ない。
【００３５】
実施形態１では、施工者（作業者）が携帯（持ち込み）可能な外部電源の外部電源プラ
グをインバータシステム１に設けられている接続部（ジャック）に接続することにより、
動作電力が設定部に供給され、設定部で前記動作条件や動作乗数（定数）を設定する操作
が可能になる。
【００３６】
インバータシステムの外部から設定部への動作電力を供給する場合、施工者（作業者）
はまずインバータシステムを構成する筐体２の蓋体４を外す必要がある。蓋体４を外さな
ければ、インバータシステムの外部から接続部へ電源を接続することが不可能なためであ
る。図４に示したように、蓋体４は筐体２の本体３と脱着可能に構成されており、通常は
ネジなどにより固定されている。
【００３７】
ネジで固定されている場合は、ネジをドライバで外すことで蓋体４を本体３から分離す
ることが可能になる。蓋体４を本体３から分離すると、インバータシステムを制御する制
御部の少なくとも一部が実装されたサブ基板８が確認できる。当該基板に外部電源を接続
するための接続部が設けられており、施工者（作業者）は外部電源を接続することが可能
になる。蓋体４とサブ基板の間にカバーが設けられている場合は、カバーを外してから外
部電源を接続する。
【００３８】
接続部には、外部電源が接続もしくは供給されたことを検知する検知手段（ブレーク接
片の開閉動作）が設けられており、インバータシステムの動作乗数（定数）の設定に用い
る動作電力が、前記インバータシステムの外部から供給されることを示す信号を出力する
。
【００３９】
制御部は前記接続部からの信号に基づき、電源回路を選択する電源選択部を介してイン
バータシステムの外部から設定部へ動作電力を供給可能とし、前記動作乗数（定数）の設
定を有効とする。選択部は第１電源回路の出力を優先し第１電源回路又は第２電源回路の
少なくともいずれか一方から直流電力が供給されている場合はその直流電力を設定部及び
制御部へ供給するものである。
【００４０】
施工者（作業者）は、制御部が前記動作乗数（定数）の設定を有効とした後に、前記設
定部を操作して当該動作乗数（定数）を入力する。設定部の操作により入力された動作乗
数（定数）は記憶部に記憶され、制御部は、直流電源がインバータシステムの作動に充分
な発電を行っている場合に、記憶部に記憶された動作乗数（定数）に従ってインバータシ
ステムの動作を制御し交流電力を生成する。
【００４１】
施工者（作業者）によって接続部にインバータシステムの外部から電源を接続されると
、制御部はＤＣ／ＤＣコンバータやＤＣ／ＡＣインバータの動作を止めるように構成する
ことができる。この機能により、施工者（作業者）が高電圧により感電するなどの事故防
止が可能になる。この時、第１電源回路の動作が停止または遮断されることも可能である
。
【００４２】
図５には本実施形態におけるインバータシステム１の基本構成（回路図）を示しており
、ＤＣ／ＤＣコンバータ、ＤＣ／ＡＣインバータ、フィルタ回路、系統連系リレーＲＹを
有している。ＤＣ／ＤＣコンバータは、直流用リアクトルＬ１、スイッチング素子、ダイ
オード、平滑用のコンデンサＣ１を含み、太陽電池ＰＶなど外部の直流電源から得られた
直流電力の電圧を所望の電圧に昇圧する。後述する実施形態２及び３でも同様の基本構成
である。
【００４３】
ＤＣ／ＡＣインバータは、複数のスイッチング素子で構成するブリッジ回路で構成され
る。ＤＣ／ＡＣインバータは、ＤＣ／ＤＣコンバータで昇圧した直流電力を商用電力系統
ＧＲＩＤの周波数に同期する正弦波交流に変換する。変換された交流電力は、交流用リア
クトルＬ２、コンデンサＣ２を含むフィルタ回路ＬＰＦで高周波成分をカットまたは充分
に減衰させた状態で、系統連系リレーＲＹを介して商用電力系統ＧＲＩＤへ供給される。
【００４４】
ＤＣ／ＤＣコンバータ、ＤＣ／ＡＣインバータ及び系統連系リレーＲＹは、制御部によ
って動作が制御される構成である。ＤＣ／ＡＣインバータやＤＣ／ＤＣコンバータなどの
太陽電池ＰＶにより発電されて商用電力系統へ供給される電力が通る回路は主回路とも呼
ばれ、主回路を構成する直流電力や交流電力が供給される配線（ライン）やコンデンサＣ
１、Ｃ２などの電気部品はメイン基板７（第１基板）に実装される。制御部は、サブ基板
８（第２基板）に実装（配置）される。また、接続部もサブ基板８に配置される構成であ
る。
【００４５】
インバータシステム１を構成する電気回路部品のうち、直流用リアクトルＬ１、交流用
リアクトルＬ２等の大きな部品以外の主たる電気回路部品６（例えば、コンデンサＣ１や
コンデンサＣ２等）は、プリント配線基板で構成するメイン基板７に配置される。また、
直流用リアクトルＬ１、交流用リアクトルＬ２、メイン基板７に形成される配線パターン
と電気的に接続される。
【００４６】
以下、インバータシステム１（ＤＣ／ＤＣコンバータやＤＣ／ＡＣインバータ、ローパ
スフィルタフィルタＬＰＦ、リレーＲＹなど）を構成する電気回路部品の配置について説
明する。
【００４７】
図６に示すように、インバータシステム１を構成する複数の電気回路部品６を取り付け
るためのヒートシンク９が、背面と平行配置となるように取り付けられる。
【００４８】
具体的には、ヒートシンク９は、アルミニウム等の熱伝導良好な素材からなり、基盤部
９Ａと基盤部９Ａから左右に並行して上下方向（前面⇔背面方向）に延出した複数の放熱
フィン９Ｂを有し、放熱フィン９Ｂが本体の背面に形成するスリットから覗く状態で、本
体内でシャーシ５と背面との間に位置するように、背面にネジ等の固定具にて取り付ける
。
【００４９】
ヒートシンク９の基盤部９Ａには、特に発熱の大きいＤＣ／ＤＣコンバータやＤＣ／Ａ
Ｃインバータのスイッチング素子をモジュール化したＩＰＭ（インテリジェントパワーモ
ジュール）１１や直流用リアクトルＬ１、交流用リアクトルＬ２が載置され、基盤部９Ａ
及び放熱フィン９Ｂを介して熱を放出する。
【００５０】
直流用リアクトルＬ１と交流用リアクトルＬ２は、基盤部９Ａの左側に、ネジ等の固定
具にて上下配置状態に取り付けられ、その右側にＩＰＭ１１が取り付けられている。
【００５１】
メイン基板７はスペーサを介してヒートシンク９の基盤部９Ｂと間隔をあけて略平行に
配置される。メイン基板７には、孔が設けられ、ＩＰＭ１１がその孔を通ってメイン基板
７の前面側へ突出するような形になっている。
【００５２】
サブ基板８は、メイン基板７と間隔をあけてこのメイン基板７を覆うシャーシ５（基板
取付部材）を介してネジ等の固定具にて固定される。このように配置することによりメイ
ン基板７、サブ基板８が略平行に配置されることになる。また、サブ基板８には孔が設け
られており、サブ基板８の孔に対応するシャーシ５の位置にも孔が形成され、これらの孔
からＩＰＭ１１が覗くようになっている。尚、本実施形態における各電気回路部品の配置
は一例であり、配置を限定する意味ではない。
【００５３】
（実施形態２）
図２は本発明の実施形態２を示すインバータシステム１の説明図である。実施形態１と
同様に、直流電源１３は、例えば、発電機、風力発電機もしくは水力発電機の交流出力を
整流して得た直流電力や、太陽電池または燃料電池などにより発生する直流電力を用いる
ことができるが、本実施形態では太陽電池を例に用いる。
【００５４】
一般住宅では、商用電力系統ＧＲＩＤに建物内負荷１０が接続され、直流電源１３から
インバータシステム１を経由して出力された交流電力のうち、建物内負荷１０で消費され
ない余剰電力分が商用電力系統ＧＲＩＤに逆潮流される。
【００５５】
実施形態２は、インバータシステム１の設定部に動作電力を供給する既定の電源が直流
電源と商用電力系統の場合である。直流電源から第１電源回路と選択部を介して設定部及
び記憶部に電力が供給される構成は、実施形態１と同様のため省略する。
【００５６】
商用電力系統から動作電力を供給する場合は、第２電源回路が必要になる。第２電源回
路は商用電力系統からの交流電力を直流電力に変換して、設定部が要する直流電力に安定
化させる。
【００５７】
接続部に関する詳細な説明は実施形態１で記載したため、省略する。実施形態２では、
第３電源回路を介してインバータシステムの外部から直流電力を供給する構成であり、実
施形態１における第２電源回路と同様のため、詳細な説明は省略する。
【００５８】
制御部に関する詳細な説明は、実施形態１と同様のため省略する。
【００５９】
施工者（作業者）が事前にインバータシステムの稼動に必要な動作乗数（定数）を設定部
から設定しようとしても、太陽電池が稼動してない場合、商用電力系統に接続されていな
い或いは商用電力系統が停電の場合などでは、設定部に動作電力が供給されないため、設
定部の操作ができない。
【００６０】
上記の場合の対策として、施工者（作業者）が携帯可能な外部電源をインバータシステ
ム１に設けられている接続部に接続することにより、動作電力が設定部に供給され、設定
部の操作が可能になる。外部電源を接続して設定部を操作する具体的な説明は実施形態１
で既に記載してあるため、省略する。
【００６１】
実施形態２におけるインバータシステム１の基本構成（回路図）は実施形態１と同様で
あり、電気回路部品に関する詳細な説明も実施形態１と同様のため、省略する。
【００６２】
（実施形態３）
図３は本発明の実施形態３を示すインバータシステム１の説明図である。直流電源１３
は、例えば、発電機、風力発電機もしくは水力発電機の交流出力を整流して得た直流電力
や、太陽電池または燃料電池などにより発生する直流電力を用いることができるが、本実
施形態では太陽電池を例に用いる。蓄電手段１４は、例えば、二次電池、電気二重層キャ
パシタあるいは超電導電力貯蔵などの直流電力貯蔵手段を用いることができるが、実施形
態３では二次電池を例に用いる。
【００６３】
一般住宅では、商用電力系統ＧＲＩＤに建物内負荷１０が接続され、直流電源１３から
インバータシステム１を経由して出力された交流電力のうち、建物内負荷１０で消費され
ない、もしくは蓄電手段に蓄電されない余剰電力分が商用電力系統ＧＲＩＤに逆潮流され
る。
【００６４】
実施形態３は、インバータシステム１の設定部に動作電力を供給する既定の電源が直流
電源、蓄電手段及び商用電力系統の場合である。施工者が事前にインバータシステムの稼
動に必要な動作乗数（定数）を設定部を操作して設定しようとしても、太陽電池が稼動し
てない場合、蓄電手段が十分に蓄電されてないため放電ができない場合、商用電力系統に
接続されていない或いは商用電力系統が停電の場合などでは動作電力が供給されないため
、設定部の操作ができない。
【００６５】
直流電源から第１電源回路と選択部を介して設定部及び記憶部に電力が供給される構成は
、実施形態１及び実施形態２と同様のため省略する。
【００６６】
商用電力系統から動作電力を供給する第２電源回路は実施形態２と同様のため省略する
。
【００６７】
蓄電手段から動作電力を供給する場合は、第３電源回路が必要になる。第３電源回路は
蓄電手段から出力される直流電力を設定部が要する直流電力に安定化させる。実施形態２
と同様に、直流電力の逆極性接続に対応する保護回路（逆接続防止のダイオードなど）を
設けることも必要である。
【００６８】
接続部に関する詳細な説明は実施形態１で記載したため、省略する。実施形態３では、
第４電源回路を介してインバータシステムの外部から直流電力を供給する構成であり、実
施形態１における第２電源回路及び実施形態２における第３電源回路と同様のため、詳細
な説明は省略する。
【００６９】
制御部に関する詳細な説明は、実施形態１と同様のため省略する。
【００７０】
上記の場合の対策として、施工者（作業者）が携帯（持ち込み）可能な外部電源をイン
バータシステム１に設けられている接続部に接続することにより、動作電力が設定部に供
給され、設定部の操作が可能になる。外部電源を接続して設定部を操作する具体的な説明
は実施形態１で既に記載してあるため、省略する。
【００７１】
実施形態３におけるインバータシステム１の基本構成（回路図）は実施形態１と同様で
あり、電気回路部品に関する詳細な説明も実施形態１と同様のため、省略する。
【符号の説明】
【００７２】
１        インバータシステム
２        筐体
３        本体
３Ａ      上面
３Ｂ      下面
３Ｃ      背面
３Ｃ１    スリット
３Ｃ２    配線用開口
３Ｃ３    取付部
３Ｄ      前面開口
３Ｅ      前面
３Ｆ      左面
３Ｇ      右面
４        蓋体
５        シャーシ（基板取付部材）
６        電気回路部品
７        メイン基板（第１基板）
８        サブ基板（第２基板）
９        ヒートシンク
１０      建物内負荷
１１      ＩＰＭ
１２      取付板
１３      直流電源
１４      蓄電手段
Ｃ１      コンデンサ
Ｃ２      コンデンサ
ＣＰ      制御部
ＧＲＩＤ  商用電力系統
Ｌ１      直流用リアクトル
Ｌ２      交流用リアクトル
ＬＰＦ    フィルタ回路
ＰＶ      太陽電池
ＲＹ      系統連係リレー
【図１】
2018125902.tif 000003
【図２】
2018125902.tif 000004
【図３】
2018125902.tif 000005
【図４】
2018125902.tif 000006
【図５】
2018125902.tif 000007
【図６】
2018125902.tif 000008
【図７】
2018125902.tif 000009